(57)【要約】【課題】通常時は協賛企業名等の非避難誘導標識部分を視認することができると共に、災害時には非避難誘導標識部分が視認されることがなく、且つ、大きく発光させて視認性を良好とすることができる蓄光式避難誘導標識を提供する。【解決手段】母材中に蓄光材が混入されてなる蓄光シート部１２と、蓄光シート部１２の表面側に配置された文字及び／又は図形からなる避難誘導標識印刷部１５と、蓄光シート部１２の表面側であって避難誘導標識印刷部１５とは異なる部位に配置された文字及び／又は図形からなる非避難誘導標識印刷部１６とを有し、非避難誘導標識印刷部１６と蓄光シート部１２の表面との間であって、該非避難誘導標識印刷部１６に対応する部位のみに光透過防止層１７を有していることを特徴とする。【選択図】図２
2013254143.tif 000002
【特許請求の範囲】
【請求項１】
母材中に蓄光材が混入されてなる蓄光シート部と、前記蓄光シート部の表面側に配置された文字及び／又は図形からなる避難誘導標識印刷部と、前記蓄光シート部の表面側であって前記避難誘導標識印刷部とは異なる部位に配置された文字及び／又は図形からなる非避難誘導標識印刷部とを有する蓄光式避難誘導標識であって、
前記非避難誘導標識印刷部と前記蓄光シート部の表面との間であって、該非避難誘導標識印刷部に対応する部位のみに光透過防止層を有していることを特徴とする蓄光式避難誘導標識。
【請求項２】
前記蓄光シート部の表面に透明樹脂板部を着脱可能に有し、
前記非避難誘導標識印刷部、前記光透過防止層及び前記避難誘導標識印刷部のうち、少なくとも前記非避難誘導標識印刷部は、前記透明樹脂板部の背面に形成されていることを特徴とする請求項１記載の蓄光式避難誘導標識。
【請求項３】
前記透明樹脂板部の表面は防汚コーティング処理されていることを特徴とする請求項２記載の蓄光式避難誘導標識。
【請求項４】
前記避難誘導標識印刷部の一部が、前記蓄光シート部の表面と同系色で形成されていることを特徴とする請求項１、２又は３記載の蓄光式避難誘導標識。
【請求項５】
前記蓄光シート部は、表面側から透明保護層、蓄光材を含有する蓄光層、白色顔料を含有する白色反射層が遠心成形によってこの順に形成されていることを特徴とする請求項１〜４のいずれかに記載の蓄光式避難誘導標識。
【発明の詳細な説明】
【技術分野】
【０００１】
本発明は蓄光式避難誘導標識に関し、詳しくは、標識設置に協賛する協賛企業名等の文字や図形からなる非避難誘導標識を表示する印刷が施された蓄光式避難誘導標識に関する。
【背景技術】
【０００２】
東日本大震災の発生により電源を必要としない蓄光式の避難誘導標識の設置の必要性が高まっている。しかし、法令上設置義務のない場所においては関係者間の費用分担等の調整が必要であり、簡単に設置できない事情がある。このため、避難誘導標識の設置が望まれているにも関わらず充分に設置されていないのが現状である。
【０００３】
このような状況のなか、協賛方式（企業が社会貢献の一環として設置する代償として協賛企業名を入れることにより企業イメージのアップを図る等の相互にメリットを出す公益事業）により避難誘導標識の設置を促進させようとする活動がある。特に蓄光式避難誘導標識は、電気配線が不要で、電気代や照明灯交換費用も発生しないため協賛方式として最も適している。
【０００４】
従来、協賛方式の蓄光式避難誘導標識として特許文献１〜３に記載のものがある。
【０００５】
特許文献１、２記載のものは、基板に避難誘導案内を表示する蓄光型の誘導標識部分と、案内表示板の識別情報を表示する蓄光型の識別標識部分と、協賛者の標章を表示する非蓄光型の協賛者標識部分とが上下に並べられて設けられている。
【０００６】
また、特許文献３記載のものは、光透過性の板状体の裏面に、避難地図を含む避難情報を表す印刷層と、印刷層の裏面に設けられた蓄光材料を含む光照射層を備えている。印刷層には協賛企業等の広告も含まれている。光照射層は、避難情報を表す必要部分のみに設けられることも記載されている。
【０００７】
このような協賛方式による蓄光式避難誘導標識は、協賛企業名や企業案内、企業の宣伝等が当該標識に視認し易く効果的に配置されていなければ、費用に対して宣伝効果が少ないために協賛企業が参加し難くなる一方で、災害等による停電時（以下、単に災害時という。）は避難誘導のための文字や図形からなる避難誘導標識部分が視認し易いものでなくてはならない。従って、災害時には、協賛企業名等の非避難誘導標識部分が視認されないようにして避難誘導標識部分と紛らわしくならないようにすることが望まれる。
【０００８】
特許文献１、２記載のものは、避難誘導に必要な誘導標識部分や識別標識部分を蓄光式とし、協賛者標章の部分を非蓄光式として、これらを上下に並べて配置しているため、災害時には協賛者標章の部分が発光せず視認されることはなく、上記要請を満足することができる。また、特許文献３記載のものも、蓄光により発光する光照射層を必要部分のみに限定的に設けるようにしているため、災害時には広告部分が発光せず視認されることはなく、上記要請を満足することができる。
【先行技術文献】
【特許文献】
【０００９】
【特許文献１】特許第４１５６０１７号公報
【特許文献２】実用新案登録第３１４０７１９号公報
【特許文献３】特開２００９−１５７２０１号公報
【発明の概要】
【発明が解決しようとする課題】
【００１０】
しかしながら、特許文献１〜３のいずれに記載のものも、蓄光により発光する部位が限定的となるため、避難誘導標識全体のサイズに対して災害時に発光する避難誘導標識部分の面積が小さく、避難誘導標識の設置面積に対して、災害時に避難誘導標識として実際に発光して表示される部位が小さいという問題がある。
【００１１】
そこで、本発明は、通常時は協賛企業名等の非避難誘導標識部分を視認することができると共に、災害時には非避難誘導標識部分が視認されることがなく、且つ、大きく発光させて視認性を良好とすることができる蓄光式避難誘導標識を提供することを課題とする。
【００１２】
本発明の他の課題は以下の記載により明らかとなる。
【課題を解決するための手段】
【００１３】
（請求項１）
母材中に蓄光材が混入されてなる蓄光シート部と、前記蓄光シート部の表面側に配置された文字及び／又は図形からなる避難誘導標識印刷部と、前記蓄光シート部の表面側であって前記避難誘導標識印刷部とは異なる部位に配置された文字及び／又は図形からなる非避難誘導標識印刷部とを有する蓄光式避難誘導標識であって、
前記非避難誘導標識印刷部と前記蓄光シート部の表面との間であって、該非避難誘導標識印刷部に対応する部位のみに光透過防止層を有していることを特徴とする蓄光式避難誘導標識。
【００１４】
（請求項２）
前記蓄光シート部の表面に透明樹脂板部を着脱可能に有し、
前記非避難誘導標識印刷部、前記光透過防止層及び前記避難誘導標識印刷部のうち、少なくとも前記非避難誘導標識印刷部は、前記透明樹脂板部の背面に形成されていることを特徴とする請求項１記載の蓄光式避難誘導標識。
【００１５】
（請求項３）
前記透明樹脂板部の表面は防汚コーティング処理されていることを特徴とする請求項２記載の蓄光式避難誘導標識。
【００１６】
（請求項４）
前記避難誘導標識印刷部の一部が、前記蓄光シート部の表面と同系色で形成されていることを特徴とする請求項１、２又は３記載の蓄光式避難誘導標識。
【００１７】
（請求項５）
前記蓄光シート部は、表面側から透明保護層、蓄光材を含有する蓄光層、白色顔料を含有する白色反射層が遠心成形によってこの順に形成されていることを特徴とする請求項１〜４のいずれかに記載の蓄光式避難誘導標識。
【発明の効果】
【００１８】
本発明によれば、通常時は協賛企業名等の非避難誘導標識部分を視認することができると共に、災害時には非避難誘導標識部分が視認されることがなく、且つ、大きく発光させて視認性を良好とすることができる蓄光式避難誘導標識を提供することができる。
【図面の簡単な説明】
【００１９】
【図１】通常時における本発明に係る蓄光式避難誘導標識の正面図
【図２】図１中の(ii)−(ii)線に沿う断面図
【図３】災害時における本発明に係る蓄光式避難誘導標識の正面図
【図４】蓄光シート部の一例を示す断面図
【図５】図４に示す蓄光シート部と透明樹脂板部との部分断面図
【発明を実施するための形態】
【００２０】
以下、本発明の実施形態について図面を用いて説明する。
【００２１】
図１は本発明に係る蓄光式避難誘導標識の正面図、図２は図１中の(ii)−(ii)線に沿う断面図である。
【００２２】
蓄光式避難誘導標識１（以下、単に避難誘導標識１という。）は、図２に示すように、取付け壁面Ｗから順に、取付け用基板部１１、蓄光シート部１２、透明樹脂板部１３を有している。これら取付け用基板部１１、蓄光シート部１２、透明樹脂板部１３はそれぞれ個別に形成されたものが重ね合わされ、避難誘導標識１の周辺部分に設けられた適宜数の取付けネジ１４によって、取付け壁面Ｗに埋設されたインサートナットｎに対して一体にネジ止めされている。
【００２３】
取付け用基板部１１は、例えばアルミ板、ＳＵＳ板、塗装及びメッキ鋼板等からなる１ｍｍ〜２ｍｍ厚の金属板が好ましく使用され、避難誘導標識１全体に所定の強度を付与している。
【００２４】
蓄光シート部１２は、母材となる樹脂中に蓄光材が混入され、全体としてシート状に成形されてなり、災害時には蓄光材が発光することによって避難誘導のための表示を視認させるためのものである。
【００２５】
母材となる樹脂は発光を阻害しない樹脂であればよいが、特にウレタンゴムを用いることが好ましく、中でも、無黄変透明ポリウレタンが好ましい。無黄変透明ポリウレタンは、使用による変色、加水分解がないため、これに蓄光材を混入させることによって長期に亘って高輝度発光機能を維持することができる。
【００２６】
蓄光材としては、例えば酸化ストロンチウム、酸化アルミニウム、酸化希土類等を用いることができるが、特に長期間に亘って高輝度の発光が可能である点でアルミン酸ストロンチウム系蓄光材が好ましい。このような蓄光材は高輝度発光の要求を満たす観点から大粒径であることが好ましく、平均粒径１００μｍ〜５００μｍのものを好ましく使用することができる。
【００２７】
蓄光材の混入量は、高輝度発光（ＪＩＳＺ９１０７：２００８  輝度規格ＪＤ以上）を行う上で、母材に対して１２００〜３０００ｇ／ｍ２とすることが好ましい。これにより、屋外用途として、太陽光下での励起条件において、１２時間後の輝度が１５ｍｃｄ／ｍ２以上となり、屋内用途として、常用光源蛍光ランプＤ６５  ２００Ｌｘ  ２０分励起後、２０分経過した後の輝度が４５０ｍｃｄ／ｍ２、６０分経過した後の輝度が１４０ｍｃｄ／ｍ２となる。当該輝度は、ＪＩＳ規格（ＪＩＳＺ９１０７：２００８）の最上級ランクであるＪＤ規格の２倍以上であり、これにより災害時に高輝度発光が可能となって高い視認性を得ることができる。
【００２８】
なお、蓄光シート部１２の構成については更に後述する。
【００２９】
透明樹脂板部１３は、蓄光シート部１２の表面を保護すると共に意匠性を付与するためのものであり、例えばアクリル、ポリカーボネート、ポリエチレンテレフタレート等の透明性を有する０．５ｍｍ〜３．０ｍｍ厚の樹脂板によって、蓄光シート部１２と同一形状に形成されている。
【００３０】
透明樹脂板部１３の表面は防汚コーティング処理されていることが好ましい。防汚コーティング処理としてはガラスコーティング処理が挙げられ、具体的にはパーヒドロポリシラザン（ＡＺエレクトロニックマテリアルズ社製「アクアミカ」）によるコーティング処理を好ましく適用することができる。防汚コーティング処理は汚染や落書き対策として有効であり、メンテナンスフリーの避難誘導標識とすることができる。
【００３１】
蓄光シート部１２の表面側には、避難誘導標識印刷部１５と非避難誘導標識印刷部１６とを有している。
【００３２】
避難誘導標識印刷部１５は、主に災害時に避難誘導のための表示機能を担う部位であり、文字又は各種図形、あるいは文字と各種図形との組み合わせからなる。
【００３３】
一方、非避難誘導標識印刷部１６は、災害時に避難誘導のための機能はなく、通常時のみ視認されることが必要とされる部位であり、蓄光シート部１２の表面側において避難誘導標識印刷部１５とは異なる部位に配置されている。この非避難誘導標識印刷部１６は、協賛企業名、企業の案内、企業の宣伝等の文字又は各種図形、あるいは文字と各種図形との組み合わせからなる。
【００３４】
本実施形態において、これら避難誘導標識印刷部１５及び非避難誘導標識印刷部１６は、透明樹脂板部１３の背面（透明樹脂板部１３における蓄光シート部１２との接合面）に設けられている。このため、透明樹脂板部１３によってこれら避難誘導標識印刷部１５及び非避難誘導標識印刷部１６も保護されるようになっている。
【００３５】
これら避難誘導標識印刷部１５及び非避難誘導標識印刷部１６を形成する方法は特に問わず、透明樹脂板部１３の背面に対して、例えばスクリーン印刷、インクジェット印刷等の印刷を直接行うことによって形成してもよいし、別途の透明フィルムにスクリーン印刷、インクジェット印刷等によって印刷してシール状に形成したものを、透明樹脂板部１３の背面に貼着するようにしてもよい。後者の方法によれば、予めシール状に形成しておいた避難誘導標識印刷部１５及び非避難誘導標識印刷部１６を設置作業現場で透明樹脂板部１３に貼着するだけで作業でき、また、変更する場合もその場でシール交換するだけで済むため便利である。
【００３６】
避難誘導標識印刷部１５は、ここでは災害時の避難先を表示する避難先印刷部１５Ａと、現在位置を表示する現在位置印刷部１５Ｂと、避難誘導のためのピクトグラムを表示するピクトグラム印刷部１５Ｃとが、それぞれ上下に分かれて配置されている。これら各印刷部１５Ａ、１５Ｂ、１５Ｃは、透明樹脂板１３の背面側から左右反転した像として形成されることにより、該透明樹脂板１３の表面側から正しい像として視認されるようになっている。
【００３７】
これら各印刷部１５Ａ、１５Ｂ、１５Ｃは、災害時に蓄光シート部１２が発光した際に放射される光を遮蔽することによって視認されるようにするものであり、光を遮蔽可能な色（例えば緑色）によって形成することができるが、特に避難先印刷部１５Ａは、災害時に意味をもつものであるため通常時は特に視認される必要はないことから、この避難先印刷部１５Ａは、蓄光シート部１２の表面と同系色、例えば薄黄色で形成することが好ましい。これによって通常時は蓄光シート部１２の表面色と同系色となることによりほとんど目立たなくなり、その他の印刷部１５Ｂ、１５Ｃ、１６を相対的に目立たせることができると共に、災害時には蓄光シート部１２からの光を遮蔽することにより、避難先の表示を視認可能とすることができる。
【００３８】
非避難誘導標識印刷部１６と蓄光シート部１３の表面との間であって、非避難誘導標識印刷部１６に対応する部位のみに、光透過防止層１７が形成されている。光透過防止層１７は、蓄光シート部１２からの光が表面側に透過しないように遮蔽するための層であり、非避難誘導標識印刷部１６の背面側全体を覆うように、光を透過しないインク（例えば酸化チタンを含有するインク）によって帯状に形成されている。
【００３９】
この光透過防止層１７も、透明樹脂板部１３の背面に形成された非避難誘導標識印刷部１６を更に覆い隠すように、スクリーン印刷、インクジェット印刷によって直接印刷することによって形成してもよいし、光を遮蔽する機能を有するシール状に形成されたフィルムやテープを、透明樹脂板部１３の背面に対し、非避難誘導標識印刷部１６を覆い隠すように貼着することによって形成してもよい。後者の方法によれば、避難誘導標識印刷部１５及び非避難誘導標識印刷部１６を形成する場合と同様、予めシール状に形成しておいた光透過防止層１７を設置作業現場で透明樹脂板部１３に貼着するだけで作業でき、また、変更する場合もその場でシール交換するだけで済むため便利である。
【００４０】
かかる避難誘導標識１によると、通常時は、図１に示すように、標識全体の中に協賛企業名や企業案内等の表示を視認することができると共に、その下に現在位置や避難誘導のためのピクトグラムを明瞭に視認することができる。これにより看者は協賛企業名や企業案内等を認知することができる。また、この通常時、避難先印刷部１５Ａは蓄光シート部１２の表面と同系色であるため、ほとんど目立つことはなく、紛らわしい表示とならない。
【００４１】
一方、災害時になると蓄光シート部１２が発光するが、その際、図３に示すように、非避難誘導標識印刷部１６が形成されている部位は、光透過防止層１７によって蓄光シート部１２からの光が遮蔽されることで、該光透過防止層１７の形状に沿って黒くなり、非避難誘導標識印刷部１６を完全に隠蔽する。
【００４２】
しかし、避難誘導標識印刷部１５（避難先印刷部１５Ａ、現在位置印刷部１５Ｂ、ピクトグラム印刷部１５Ｃ）は、蓄光シート部１２からの光を当該印刷部１５自体が遮蔽するために明瞭に視認することができ、避難誘導標識としての機能を発揮することができる。
【００４３】
しかも、災害時、避難誘導標識印刷部１５の部分だけでなく、避難誘導標識１全体が発光するため、看者の注意を大きく惹き付けることができ、災害時に確実に避難誘導を行うことができる。
【００４４】
なお、ここでは、避難誘導標識印刷部１５、非避難誘導標識印刷部１６及び光透過防止層１７を透明樹脂板部１３の背面に形成したが、これらは蓄光シート部１２の表面に形成されていてもよい。しかし、これらのうち少なくとも非避難誘導標識印刷部１５が透明樹脂板部１３の背面に形成されていると、協賛企業名や企業案内、企業の宣伝の文字や図形等を変更する必要がある場合に、透明樹脂板部１３のみを交換したり、又は、非避難誘導標識印刷部１６のみを形成し直したりするだけで済むため、避難誘導標識１全体を交換する必要がないといったメリットがある。
【００４５】
また、避難誘導標識印刷部１５も透明樹脂板部１３の背面に形成されていれば、避難誘導のための文字や図形等を変更する必要がある場合に、透明樹脂板部１３のみを交換したり、又は、避難誘導標識印刷部１５のみを形成し直すだけで済み、上記同様の効果がある。
【００４６】
また、避難誘導標識１を設置する場所によって避難誘導標識印刷部１５の文字数や図形も様々変化する場合があるが、これらを透明樹脂板部１３の背面に形成するようにすれば、透明樹脂板部１３の避難誘導標識印刷部１５の部分を変更するだけでよいため、設置場所毎に異なるサイズの蓄光シート部１２や透明樹脂板部１３を製造して用意しておく必要がないといったメリットもある。
【００４７】
次に、本発明において好ましい蓄光シート部１２の構成について説明する。
【００４８】
図４は蓄光シート部１２の断面図であり、同図に示すように、蓄光シート部１２は、表面側（図中右側）から、透明保護層１２１、蓄光層１２２、白色反射層１２３が遠心成形によってこの順に形成されている。
【００４９】
遠心成形は、加熱かつ回転する円筒状金型を用いて成形するものであり、母材である無黄変透明ポリウレタンに白色顔料を混合した第１の混合材料を円筒状金型に投入し、加熱かつ回転させながら白色反射層１２３を成形し、この白色反射層１２３が硬化し始めた時点から完全に硬化するまでの間に、第２の混合材料を投入する。
【００５０】
第２の混合材料は、母材である無黄変透明ポリウレタンに、該ポリウレタンよりも比重が大きい蓄光材を混合したものであり、円筒状金型を回転させることにより比重差を利用して、白色反射層１２３の上に、該白色反射層１２３の側から蓄光材を多く含む蓄光層１２２と、蓄光材を殆ど含まない透明保護層１２１とを成形する。
【００５１】
なお、完全に硬化するまでの間とは、未反応の反応基が存在しなくなるまでの間を意味するものである。本実施形態のウレタン材は、注型ウレタン材であり、プレポリマーと言われる反応基（−ＮＣＯ）を持つ主材と硬化剤（アミン系）とが反応してポリウレタンになるものである。
【００５２】
第１の混合材料を構成するウレタン材においては、主材と硬化剤とが混合され、注入された後、硬化することとなるが、未反応の反応基が存在している間に第２の混合材料が注入されることにより、第１の混合材料の成形物である白色反射層１２３の未反応の反応基と第２の混合材料とが反応する。これにより、白色反射層１２３と蓄光層１２２及び透明保護層１２１とが一体化した成形物が成形される。
【００５３】
かかる蓄光シート部１２では、ほとんど熱収縮することがない蓄光材を含有する蓄光層１２２が製品の厚み方向の略中心に位置するため、製品全体としてカール現象が発生することはなく、平板状の蓄光シート部１２を容易に形成することができる。
【００５４】
また、かかる蓄光シート部１２を使用すると、図５に示すように、蓄光シート部１２の表面側に配置される避難誘導標識印刷部１５と蓄光層１２２との間に透明保護層１２１が配置される形となる。これにより、災害時に蓄光シート部１２の蓄光層１２２が発光すると、避難誘導標識印刷部１５の背面側からその全体を照射することとなり、いわゆるバックライト効果によって、当該避難誘導標識印刷部１５を浮き上がらせるように目立たせることができ、本発明においてより好ましい。
【００５５】
蓄光シート部１２は、最も背面側に白色反射層１２３を有しているため、蓄光層１２２から背面側に向けて照射された光をこの白色反射層１２３によって反射させて表面側に向けて照射することができるため、より高輝度の発光を行うことができる。
【００５６】
本実施形態に示すように、蓄光シート部１２の背面側に取付け用基板部１１を有している場合、白色反射層１２３を設ける代わりに、この取付け用基板部１１の表面に白色反射層を被覆形成するようにしても同様の効果を得ることができる。
【００５７】
また、本実施形態において、蓄光シート部１２はポリウレタン材によって形成されているため、取付けネジ１４によって取付け壁面Ｗにねじ止めする際、この蓄光シート部１２が適度な弾性を持つため、取付けネジ１４の緩み止め効果を発揮することができ、確実な固定が可能である。
【００５８】
このような取付けネジ１４としては、専用工具のみによって着脱操作が可能な悪戯防止ネジを用いることが好ましい。
【符号の説明】
【００５９】
１：蓄光式避難誘導標識
１１：取付け用基板部
１２：蓄光シート部
１２１：透明保護層
１２２：蓄光層
１２３：白色反射層
１３：透明樹脂板部
１４：取付けネジ
１５：難誘導標識印刷部
１５Ａ：避難先印刷部
１５Ｂ：現在位置印刷部
１５Ｃ：ピクトグラム印刷部
１６：非避難誘導標識印刷部
１７：光透過防止層
Ｗ：取付け壁面
ｎ：インサートナット
【図１】
2013254143.tif 000003
【図２】
2013254143.tif 000004
【図３】
2013254143.tif 000005
【図４】
2013254143.tif 000006
【図５】
2013254143.tif 000007